(57)【要約】【課題】画像の確認を行いながら投影画像に対する遠隔操作を行うことができる電子機器を提供する。【解決手段】画像の投影を行う投影部を収容する筐体４を有する装置本体と、前記筐体の背面に対して着脱可能に設けられ、前記投影部により投影を行う投影画像を表示する表示部２２、及び前記投影画像に対する操作を行う操作部２６を有する背面パネルユニット８とを備える。【選択図】図２
2010181757.tif 000002
【特許請求の範囲】
【請求項１】
画像の投影を行う投影部を収容する筐体を有する装置本体と、
前記筐体の背面に対して着脱可能に設けられ、前記投影部により投影を行う投影画像を表示する表示部、及び前記投影画像に対する操作を行う操作部を有する背面パネルユニットと
を備えることを特徴とする電子機器。
【請求項２】
前記装置本体と前記背面パネルユニットとは、ケーブルにより接続されることを特徴とする請求項１記載の電子機器。
【請求項３】
前記筐体内に前記ケーブルを収納するケーブル収納部を備えることを特徴とする請求項２記載の電子機器。
【請求項４】
前記ケーブル収納部は、前記投影部に近接した空間に形成されることを特徴とする請求項３記載の電子機器。
【請求項５】
前記筐体に対する前記背面パネルユニットの着脱を検出する検出部と、
前記検出部により前記背面パネルユニットが前記筐体から取外されたことが検出された場合に、前記投影部により画像投影を行う投影モードを設定するモード設定部と
を備えることを特徴とする請求項１〜４の何れか一項に記載の電子機器。
【請求項６】
被写体光を撮像する撮像部を更に備えることを特徴とする請求項１〜５の何れか一項に記載の電子機器。
【発明の詳細な説明】
【技術分野】
【０００１】
本発明は、プロジェクタを備える電子機器に関するものである。
【背景技術】
【０００２】
装置本体から操作部を取外し可能にしたプロジェクタ内蔵のカメラが知られている（例えば、特許文献１参照）。このカメラにおいては、装置本体から取外した操作部を用いて画像投影中にカメラ本体に直接触れることなく投影画像に対する操作を行うことができる。
【先行技術文献】
【特許文献】
【０００３】
【特許文献１】特開２００８−２４９９６０号公報
【発明の概要】
【発明が解決しようとする課題】
【０００４】
しかしながら、このカメラにおいては画像の確認を行いながら画像の投影を行うことは困難である。
【０００５】
本発明の目的は、画像の確認を行いながら投影画像に対する遠隔操作を行うことができる電子機器を提供することである。
【課題を解決するための手段】
【０００６】
本発明の電子機器は、画像の投影を行う投影部を収容する筐体を有する装置本体と、前記筐体の背面に対して着脱可能に設けられ、前記投影部により投影を行う投影画像を表示する表示部、及び前記投影画像に対する操作を行う操作部を有する背面パネルユニットとを備える。
【発明の効果】
【０００７】
本発明の電子機器によれば、画像の確認を行いながら投影画像に対する遠隔操作を行うことができる。
【図面の簡単な説明】
【０００８】
【図１】実施の形態に係るカメラの前面を示す斜視図である。
【図２】実施の形態に係るカメラの背面を示す斜視図である。
【図３】実施の形態に係るカメラ内部に収納された各ユニットの配置を示す正面図である。
【図４】実施の形態に係るカメラの装置本体から背面パネルユニットを取外した状態を示す図である。
【図５】実施の形態に係るカメラ内部に収納された各ユニットの配置を示す上面断面図である。
【図６】実施の形態に係るカメラの図３におけるＡ−Ａ断面図である。
【図７】実施の形態に係るカメラにより画像の投影を行っている状態を示す図である。
【発明を実施するための形態】
【０００９】
以下、図面を参照して本発明の実施の形態に係る電子機器についてカメラを例に説明する。図１は、実施の形態に係るカメラの前面を示す斜視図である。カメラ２はプロジェクタを備えるデジタルカメラであって、カメラ２を構成する装置本体の筐体４はアルミニウム板金等の金属からなる前カバー６を備え、この前カバー６には、被写体光を入射させる撮影窓１０、画像を投影するプロジェクタ投影窓１２、被写体を照射する光を射出するフラッシュ窓１４が設けられている。また、筐体４の上面には、電源スイッチ１６、レリーズ指示を行うレリーズボタン１８、プロジェクタにより投影される画像のピント合わせを行うためのフォーカスレバー２０、プロジェクタにより画像の投影を行う投影モードを設定するＰＪボタン２１が設けられている。
【００１０】
図２は、実施の形態に係るカメラの背面を示す図である。装置本体を構成する筐体４の背面には、背面パネルユニット８が筐体４に対して着脱可能に設けられている。背面パネルユニット８には、撮像画像や投影画像を表示するＬＣＤ表示部２２、投影する画像の選択等を行うマルチセレクタ２６、音量調整ボタン２７等の操作部が設けられている。
【００１１】
図３は、実施の形態に係るカメラ内部に収納された各ユニットの配置を概略的に示す正面図である。カメラ２の内部の略中央には、投影画像を投影するための投影光学系と光源であるＬＥＤ等を有するプロジェクタユニット３４が配置されている。また、プロジェクタユニット３４の図３における右側には、被写体を撮像するための撮像素子を有する鏡筒ユニット３８が、プロジェクタユニット３４の左側には、プロジェクタユニット３４及び鏡筒ユニット３８に電力を供給するバッテリを収容する電池室４０が設けられている。
【００１２】
図４は実施の形態に係るカメラの装置本体から背面パネルユニットを取外した状態を示す図、図５は実施の形態に係るカメラ内部に収納された各ユニットの配置を示す上面断面図である。図４及び図５に示すように、カメラ２の装置本体と背面パネルユニット８とはフラットケーブル５０により接続されている。即ち、装置本体のメイン基板５と背面パネルユニット８の図示しないパネル基板とは、フラットケーブル５０により接続されている。筐体４内に収容されているプロジェクタユニット３４は、Ｌ字形状のプロジェクタ筐体内に収容されており、プロジェクタ筐体のＬ字形状により形成された電池室４０との間の空間、即ちプロジェクタユニット３４に近接した空間にケーブル収納部６０が形成されている。筐体４の背面側の四隅には筐体４に対して背面パネルユニット８を装着する際に用いられる取付孔４ａが設けられている。
【００１３】
ここで図４において右上に位置する取付孔４ａ内には背面パネルユニット８が装着されたことを検出するセンサ４ｂが設けられている。このセンサ４ｂにより装置本体から背面パネルユニット８が取外されたことが検出された場合には、プロジェクタユニット３４により画像の投影を行う投影モードが設定される。
【００１４】
背面パネルユニット８の筐体４に対向する面の四隅には、筐体４に対して背面パネルユニット８を装着する際に取付孔４ａ対して係合する取付ボス８ａ（図４においては２つだけ記載）が設けられている。また、背面パネルユニット８の筐体４に対向する面の中央上部及びその下方に所定の距離で離れた位置には、フラットケーブル５０をケーブル収納部６０に収納する際に用いる一対のケーブル押さえ部５１が設けられている。
【００１５】
図６に示すように、カメラの装置本体の筐体４に対して背面パネルユニット８を装着する場合には、まず、一対のケーブル押さえ部５１の間にフラットケーブル５０を折り畳んで配置させ、一対の押さえ部５１の間に配置されたフラットケーブル５０をケーブル収納部６０に収納させつつ、筐体４の背面側の四隅に設けられている取付孔４ａに背面パネルユニット８の筐体４に対向する面の四隅に設けられている取付ボス８ａを係合させる。
【００１６】
ＰＪボタン２１を押下することにより、または装置本体から背面パネルユニット８が取外されることにより投影モードが設定されている場合に、センサ４ｂにより装置本体に背面パネルユニット８が装着されたことが検出されると、鏡筒ユニット３８により被写体の撮像を行う撮像モードが設定される。
【００１７】
カメラ２を用いて画像の投影を行う場合には、図７に示すようにカメラ２の装置本体から背面パネルユニット８を取外し、装置本体を投影面に対して最適な投影距離で設置する。カメラ２は、装置本体から背面パネルユニット８が取外されたことをセンサにより検出し、投影モードに設定される。従って、操作者は投影面から最適な距離だけ離れた位置において背面パネルユニット８のマルチセレクタ２６を操作し、ＬＣＤ表示部２２に画像を表示させて画像の確認を行いながら投影画像を決定しプロジェクタユニット３４により画像の投影を行う。また音声が記憶されている画像の場合には、音量調節ボタン２７を操作して音量の調整も行う。
【００１８】
この実施の形態に係るカメラによれば、装置本体から背面パネルユニットを取外すことにより、ＬＣＤ表示部において画像を確認しながら遠隔操作により画像の投影を行うことができる。また装置本体の背面パネルユニットを装着した場合には、通常のデジタルカメラとして使用することができる。また、装置本体と背面パネルユニットがケーブルで接続されているため、持ち運びが簡単で製造コストのアップも最小限に抑えることができ背面パネルユニットの紛失を防止することができる。また、装置本体から背面パネルユニットを取外したときに投影モードに設定されるため良好な操作性を得ることができる。
【００１９】
なお、上述の実施の形態においては、装置本体と背面パネルユニットとはケーブルにより接続され、背面パネルユニットを用いて投影画像に対する遠隔操作を行っているが、背装置本体と背面パネルユニットとを無線通信により接続し、背面パネルユニットを用いて投影画像に対する遠隔操作を行うようにしてもよい。
【００２０】
また、上述の実施の形態においては、図４において右上に位置する取付孔４ａ内に背面パネルユニット８が装着されたことを検出するセンサ４ｂを設けているが、センサを設ける位置及びセンサの数は適宜選択可能である。
【産業上の利用可能性】
【００２１】
本発明は、プロジェクタを備える電子機器に利用することができる。
【符号の説明】
【００２２】
２…カメラ、４…筐体、４ｂ…センサ６…前カバー、８…背面パネルユニット、１０…撮影窓、１２…プロジェクタ投影窓、３４…プロジェクタユニット、３８…鏡筒ユニット、４０…電池室、５０…フラットケーブル。
【図１】
2010181757.tif 000003
【図２】
2010181757.tif 000004
【図３】
2010181757.tif 000005
【図４】
2010181757.tif 000006
【図５】
2010181757.tif 000007
【図６】
2010181757.tif 000008
【図７】
2010181757.tif 000009